(57)【要約】      （修正有）【課題】被検眼の光学的な特性に拘わらず、眼底に照射される光のムラの影響が抑制された眼底画像を得ることができる眼底カメラを提供する。【解決手段】眼底カメラは、被検眼の眼底に光源からの光を投光する照明光学系と、光源からの光に伴う眼底からの光を撮像素子で受光する眼底観察・撮像光学系と、を備え、撮像素子の受光結果に基づいて被検眼の眼底画像を撮像する。また、制御部は、照明光学系からの光が照射される眼底の範囲の大きさを示す情報を取得するＳ１。制御部は、取得した情報に基づいて、照射光学系から照射された光の眼底上でのムラ分布を取得しＳ３、取得したムラ分布を用いて眼底画像の明るさを補正するＳ７。【選択図】図５
2014233325.tif 000002
【特許請求の範囲】
【請求項１】
被検眼の眼底に光源からの光を照射する照射光学系と、前記光源からの光に伴う眼底からの光を撮像素子で受光する受光光学系と、を備え、前記撮像素子の受光結果に基づいて被検眼の眼底画像を撮像する眼底カメラにおいて、
前記照射光学系から照射された光の眼底上での照射範囲の大きさを示す情報を取得する照射範囲取得手段と、
前記照射範囲取得手段によって取得される前記情報に基づいて、前記照射光学系から照射された光の眼底上でのムラ分布を取得するムラ分布取得手段と、
前記ムラ分布取得手段によって取得されたムラ分布を用いて眼底画像を補正する補正手段と、を備えていることを特徴とする眼底カメラ。
【請求項２】
指標を有する指標投影光学系を備え、
前記指標は、前記照射光学系からの光が照射される範囲に対する大きさが既知の指標像として眼底を介して前記撮像素子に投影されることで撮像され、
前記照射範囲取得手段は、前記撮像された前記指標像から前記情報を取得することを特徴とする請求項１記載の眼底カメラ。
【請求項３】
前記指標の位置を被検眼の眼底と光学的に共役な位置に調整可能な調整機構を有していることを特徴とする請求項２記載の眼底カメラ。
【請求項４】
前記投光光学系には、前記調整機構によって前記指標が光軸と平行に移動しても、眼底上の照射範囲の大きさと前記指標像の大きさとの比を維持するバダール光学系が設けられていることを特徴とする請求項３記載の眼底カメラ。
【請求項５】
前記照射光学系からの光が照射されて参照光を発し、その参照光が前記受光光学系の前記撮像素子に受光されることで撮像される参照部を設け、
前記補正手段は、眼底画像の階調分布を、前記撮像素子で撮像された参照部の階調値を用いて正規化し、正規化した前記階調分布に対して補正することを特徴とする請求項１から４の何れかに記載の眼底カメラ。
【請求項６】
前記光源からの光が導かれ、前記眼底と共役な位置に配置可能な第２撮像素子が、前記投光光学系に設けられ、
前記ムラ分布取得手段は、前記第２撮像素子の撮像結果に基づいて前記ムラ分布を取得することを特徴とする請求項１から５の何れかに記載の眼底カメラ。
【請求項７】
眼底カメラによって撮像された眼底画像に対して画像処理を行う画像処理プログラムであって、
画像処理装置のプロセッサで実行されることにより、
前記眼底カメラから被検眼の眼底に照射された光の眼底における照射範囲の大きさを取得する照射範囲取得ステップと、
前記眼底カメラから被検眼の眼底に照射された光のムラ分布を前記照射範囲取得ステップによって取得される照射範囲に基づいて取得するムラ分布取得ステップと、
前記ムラ分布取得ステップによって取得されたムラ分布を用いて前記眼底画像の明るさを補正する補正ステップと、が前記画像処理装置によって実行されることを特徴とする画像処理プログラム。
【発明の詳細な説明】
【技術分野】
【０００１】
本発明は、被検眼の眼底を撮像する眼底カメラ、及び画像処理プログラムに関する。
【背景技術】
【０００２】
従来より、光源からの光を眼底に照射し、光源からの光に伴って眼底から放出される光を撮像素子に受光させて眼底像を撮像する眼底カメラが知られている。眼底カメラでは、光源から光が眼底以外の箇所で反射され撮像素子に受光されることを抑制する光学部材が、光源から被検眼までの光路に設けられている場合がある。例えば、特許文献１記載の眼底カメラには、光源からの光の反射光であって、被検眼の前眼部によって反射された反射光が撮像素子に受光されてしまうことを抑制するリングスリットが、光源から被検眼までの光路上に設けられている。
【先行技術文献】
【特許文献】
【０００３】
【特許文献１】特開平０８−０１０２２８号公報
【発明の概要】
【発明が解決しようとする課題】
【０００４】
ところで、眼底カメラでは、上記に例示した光学部材の存在等に起因して、光源から眼底に照射される光にムラが生じる場合がある。眼底に照射される光がムラになっている状態で眼底が撮像された場合、光のムラが、眼底画像の明暗に影響してしまう。このような眼底画像では、例えば、眼底の状態を検者が把握し難いといった問題がある。しかも、眼底に照射される光の眼底におけるムラ分布は、眼軸長および屈折力等の被検眼の光学的な特性に応じて異なってしまう。
【０００５】
本発明は、上記従来技術の問題点に鑑み、被検眼の光学的な特性に拘わらず、眼底に照射される光のムラの影響が抑制された眼底画像を得やすい眼底カメラ、および画像処理プログラムを提供することを技術課題とする。
【課題を解決するための手段】
【０００６】
本発明の第一態様に係る眼底カメラは、被検眼の眼底に光源からの光を照射する照射光学系と、前記光源からの光に伴う眼底からの光を撮像素子で受光する受光光学系と、を備え、前記撮像素子の受光結果に基づいて被検眼の眼底画像を撮像する眼底カメラにおいて、前記照射光学系から照射された光の眼底上での照射範囲の大きさを示す情報を取得する照射範囲取得手段と、前記照射範囲取得手段によって取得される前記情報に基づいて、前記照射光学系から照射された光の眼底上でのムラ分布を取得するムラ分布取得手段と、前記ムラ分布取得手段によって取得されたムラ分布を用いて眼底画像を補正する補正手段と、を備えている。
【０００７】
本発明の第二態様に係る画像処理プログラムは、眼底カメラによって撮像された眼底画像に対して画像処理を行う画像処理プログラムであって、画像処理装置のプロセッサで実行されることにより、前記眼底カメラから被検眼の眼底に照射された光の眼底における照射範囲の大きさを取得する照射範囲取得ステップと、前記眼底カメラから被検眼の眼底に照射された光のムラ分布を前記照射範囲取得ステップによって取得される照射範囲に基づいて取得するムラ分布取得ステップと、前記ムラ分布取得ステップによって取得されたムラ分布を用いて前記眼底画像の明るさを補正する補正ステップと、が前記画像処理装置によって実行される。
【発明の効果】
【０００８】
本発明によれば、被検眼の光学的な特性に拘わらず、眼底に照射される光のムラの影響が抑制された眼底画像を得やすいという効果がある。
【図面の簡単な説明】
【０００９】
【図１】眼底カメラの外観構成を示した模式図である。
【図２】眼底カメラの光学系及び制御系の概略構成図である。
【図３】モニタ上で表示される眼底観察画像を示す図である。
【図４】スプリット棒に対する照明光学系の光学部材の配置を説明する説明図である。
【図５】自発蛍光像撮像処理を示したフローチャートである。
【図６】照明ムラの補正方法を説明するための説明図である。
【図７】第１の変容例に係る眼底カメラが有する光学系を示した概略構成図である。
【図８】第２の変容例に係る眼底カメラが有する光学系を示した概略構成図である。
【発明を実施するための形態】
【００１０】
以下、図面を参照しつつ、本発明の実施形態の一例である眼底カメラ１を説明する。初めに、図１を参照して、眼底カメラ１の外観構成について説明する。眼底カメラ１は、撮像部２と、基台３と、移動台４と、駆動部５と、顔支持ユニット６と、ジョイスティック７と、表示部８（モニタ８）と、を備える。
【００１１】
撮像部２は、被検眼Ｅを観察・撮像するための光学系が収納されたユニットである。撮像部２に収納された光学系については、図２を参照して後述する。
【００１２】
基台３は、眼底カメラ１の各部を支持する部材である。基台３には、移動台４が積載されている。移動台４は、基台３に対して左右方向（Ｘ方向）及び前後（Ｚ方向）に移動する移動機構を備える。移動台４は、駆動部５を介して撮像部２を支持している。よって、移動台４の移動に伴い、撮像部２が前後左右に移動される。また、駆動部５は、撮像部２を、上下方向（Ｙ方向）に移動させる移動機構を備えたユニットである。よって、移動台４および駆動部５の駆動によって、撮像部２は、基台３に対して三次元的に移動する。
【００１３】
また、基台３には、顔支持ユニット６が設けられている。顔支持ユニット６は、被験者の顔を支持するためのユニットである。
【００１４】
ジョイスティック７は、検者の操作を受け付ける操作入力装置である。ジョイスティック７は、回転ノブ７ａと、撮像スイッチ７ｂとを、装置本体に備えている。移動台４は、ジョイスティック７の操作に応じて基台３上をＸＺ方向に移動される。また、駆動部５は、回転ノブ７ａの回転操作に応じて駆動されることで撮像部２をＹ方向に移動させる。撮像スイッチ７ｂは、被検眼Ｅの静止画像を撮像するために検者に操作されるスイッチである。検者は、顔支持ユニット６に被験者の顔を支持させた状態で、撮像部２の光学系を被検眼Ｅに正対する位置まで移動させる。眼底カメラ１では、この位置で、被検眼Ｅの観察および撮像が行われる。
【００１５】
また、撮像部２の検者側には、モニタ８が設けられている。モニタ８は、被検眼Ｅの前眼部像、眼底像（本実施形態では、動画像または静止画像の眼底画像）を表示する表示装置である。
【００１６】
次に、図２を参照して、眼底カメラ１の光学系及び制御系の概略構成について説明する。まず、眼底カメラ１の光学系を説明する。本実施形態において、眼底カメラ１は、照明光学系１０（照射光学系１０）と、眼底観察・撮像光学系３０（受光光学系３０）と、スプリット指標投影光学系５０と、固視標呈示光学系８０と、を有している。
【００１７】
照明光学系１０は、観察照明光学系１０ａと、撮像照明光学系１０ｂと、を有する。撮像照明光学系１０ｂは、眼底画像の静止画像（眼底撮像画像）を撮像する場合に、被検眼Ｅに光源からの光（照明光または励起光）を投光する。撮像照明光学系１０ｂは、撮像光源１４と、フィルタ１５と、コンデンサレンズ１６と、リングスリット１８と、リレーレンズ１９と、ミラー２０と、黒点板２１と、リレーレンズ２１と、孔あきミラー２３と、対物レンズ２４と、を有する。
【００１８】
撮像光源１４は、可視光を出射する光源である。撮像光源１４は、眼底画像の静止画像を撮像する場合に点灯される。撮像光源１４としては、フラッシュランプまたはＬＥＤ等を用いることができる。
【００１９】
フィルタ１５は、可視蛍光撮像用のエキサイタフィルタである。本実施形態において、フィルタ１５は、撮像光源１４からの光を眼底に照射して行う、ＦＡＦ（ｆｕｎｄｕｓ−ａｕｔｏ−ｆｌｕｏｒｅｓｃｅｎｃｅ：自発蛍光）撮像に用いる。本実施形態において、フィルタ１５は、波長が５３０ｎｍ〜５９０ｎｍ付近の光を透過する特性を示す。フィルタ１５を透過した光によって、眼底に蓄積されたリポフスチンが励起される。フィルタ１５は、後述のフィルタ駆動機構１５ａによって、光路中に挿脱される。即ち、眼底の自発蛍光像を撮像する場合は、フィルタ１５が光路中に挿入される。また、通常の眼底画像を撮像する場合は、フィルタ１５が光路中から退避される。
【００２０】
撮像光源１４から出射された可視光は、コンデンサレンズ１６で収束され、リングスリット１８の全面を照射する。リングスリット１８は、照明光学系１０の光源（即ち、光源１１，１４）からの光が被検眼Ｅの前眼部で反射されて、眼底観察・撮像光学系３０に入射することを抑制する光学部材である。リングスリット１８は、リング状の開口を有している。リングスリット１８は、被検眼Ｅの瞳孔と略共役な位置に置かれている。リングスリット１８を通過した光は、リレーレンズ１９から対物レンズ２４までの光路を経て被検眼Ｅに照射される。被検眼Ｅに照射される光は、瞳孔近傍でリング像を結んだ後、被検眼内で拡散され、眼底に照射される。眼底において照明光学系１０からの光が照射される範囲（すなわち、照射範囲、照射エリア）は、被検眼の屈折力、眼軸長等の光学的な特性（例えば、被検眼のディオプター値）に応じた範囲となる。
【００２１】
黒点板２１は、照明光学系１０の光源からの光の一部を吸収する黒点を有する光学部材である。黒点板２１は、対物レンズ２４の後面（対物レンズ２４のレンズ面のうち、被検眼Ｅと離間する側の面）と光学的に共役な位置に配置されている。よって、黒点板２１は、照明光学系１０の光源からの光の一部を吸収することによって、光源からの光が対物レンズ２４で反射され、眼底観察・撮像光学系３０に入射することを抑制する。
【００２２】
観察照明光学系１０ａは、眼底画像の動画像（眼底観察画像）を撮像する場合に、被検眼Ｅに赤外光を照射する。観察照明光学系１０ａは、観察光源１１と、赤外フィルタ１２と、コンデンサレンズ１３と、ダイクロイックミラー１７と、を有している。また、観察照明光学系１０ａは、リングスリット１８から対物レンズ２４までの光学系を、撮像照明光学系１０ｂと共用する。
【００２３】
観察光源１１は、本実施形態において、眼底画像の動画像を撮像するための光源である。観察光源１１としては、ハロゲンランプ等を用いることができる。赤外フィルタ１２は、波長７５０ｎｍ以上の赤外光を透過し、波長７５０ｎｍ未満の光を遮光する。また、ダイクロイックミラー１７は、赤外光を反射すると共に、可視光を透過する特性を持つ。よって、観察光源１１からの光のうち、赤外フィルタ１２を透過する赤外成分だけが、コンデンサレンズ１３で収束されると共に、ダイクロイックミラー１７によって反射されて、リングスリット１８を照明する。リングスリット１８を透過した光は、リレーレンズ１９、ミラー２０、黒点板２１、リレーレンズ２２を経て孔あきミラー２３に達する。孔あきミラー２３で反射された光は、対物レンズ２４によって被検眼Ｅの瞳孔付近で一旦収束した後、拡散して被検眼Ｅの眼底を照射する。
【００２４】
眼底観察・撮像光学系３０は、眼底画像（動画像および静止画像）を撮像するために用いられる。眼底観察・撮像光学系３０は、眼底画像の静止画像を撮像するために、明るさ絞り３１と、フィルタ３２と、結像レンズ３３と、フォーカシングレンズ３４，３５と、撮像絞り３７と、撮像素子３８と、を有している。また、眼底観察・撮像光学系３０は、眼底画像の動画像を撮像するために、跳ね上げミラー３６と、ダイクロイックミラー３９と、リレーレンズ４０と、観察絞り４１と、二次元撮像素子４２と、を有している。明るさ絞り３１、結像レンズ３３、および、フォーカシングレンズ３４，３５は、赤外光を用いて眼底画像の動画像を撮像する場合にも使用される。なお、眼底観察・撮像光学系３０は、対物レンズ２４および孔あきミラー２３を、照明光学系１０と共用する。明るさ絞り３１は、孔あきミラー２３の開口近傍に位置する。
【００２５】
フィルタ３２は、可視蛍光撮像用のバリアフィルタである。本実施形態において、フィルタ３２は、自発蛍光撮像に用いる。本実施形態において、フィルタ３２は、波長６００ｎｍから波長７５０ｎｍまでの範囲の光を透過させ、それ以外の波長の光を遮光する分光特性を示す。本実施形態における自発蛍光撮像は、網膜色素上皮のリポフスチンが撮像光源１４からの光（波長５３０ｎｍ〜５９０ｎｍ付近）に自発蛍光（波長５００nm付近〜波長７５０ｎｍ付近）を示す原理を利用した蛍光撮像である。なお、本実施形態では、リポフスチンの発光に基づいて自発蛍光撮像を行う場合について説明するが、眼底に存在する他の自発蛍光物質および眼底に投与された蛍光造影剤等を発光させて撮像を行うこともできる。この場合は、発光させたい物質の蛍光特性に合わせて、光源とフィルタとを設ければよい。
【００２６】
また、フィルタ３２は、後述のフィルタ駆動機構３２ａによって、眼底観察・撮像光学系３０の光路に挿脱可能に構成されている。よって、フィルタ３２を眼底観察・撮像光学系３０の光路に挿入させた状態で、自発蛍光像が撮像される。また、フィルタ３２を眼底観察・撮像光学系３０の光路から退避させた状態で、通常の眼底画像が撮像される。
【００２７】
フォーカシングレンズ３４および３５は、それぞれ、駆動機構５９（調節機構５９）によって、光軸Ｌ１方向へ移動される。フォーカシングレンズ３４および３５を移動させることで視度を調節できる。ここで、被検眼Ｅから眼底観察・撮像光学系３０に入射する光は、結像レンズ３３によって、一度平行光とされる。また、本実施形態では、フォーカシングレンズ３４，３５の物体側と像側がテレセントリックになるように、フォーカシングレンズ３４，３５が配置される。このため、視度に拘わらず、撮像素子３８，４２で撮像される眼底画像の撮像倍率は一定となる。
【００２８】
跳ね上げミラー３６は、挿脱機構４３によって、眼底観察・撮像光学系３０の光路から挿脱可能である。撮像光源１４および撮像素子３８を用いて、眼底画像の静止画像を可視光によって撮像する場合は、跳ね上げミラー３６を眼底観察・撮像光学系３０の光路から退避させる。一方、観察光源１１および撮像素子４２を用いて、眼底画像の動画像を赤外光によって撮像する場合は、跳ね上げミラー３６を眼底観察・撮像光学系３０の光路に挿入させる。
【００２９】
このような眼底観察・撮像光学系３０において、観察光源１１によって眼底が赤外光で照明される場合、眼底からの反射光は、対物レンズ２４からフォーカシングレンズ３５、跳ね上げミラー３６から観察絞り４１を経て、撮像素子４２に結像する。また、撮像光源１４よって眼底が可視光で照明される場合、眼底からの反射光または蛍光は、対物レンズ２４から撮像絞り３７を経て、撮像素子３８に結像する。本実施形態では、絞り３７，４１によって、眼底カメラ１の撮像範囲が、眼底における照明光学系１０からの光の照射範囲の一部に規制される。なお、本実施形態では、説明の便宜上、眼底観察時と、撮像時との撮像範囲（撮像エリア）は、同一であるものとする。
【００３０】
スプリット指標投影光学系５０は、赤外光源５１と、指標板５２と、偏角プリズム５３と、投影レンズ５４と、スポットミラー５５と、を備える。スポットミラー５５は、スプリット棒５６の先端に設けられている。本実施形態において、スポットミラー５５は、観察光源１１から被検眼Ｅに赤外光を投影する場合に（即ち、眼底を観察する場合に）、照明光学系１０の光路上に挿入される。このとき、照明光学系１０の光束の一部が、スプリット棒５６によって遮られるので、被検眼Ｅの眼底に、スプリット棒５６の影（指標像Ｋ）が投影される。一方、撮像光源１４から被検眼Ｅに可視光を投光する場合は（即ち、眼底画像の静止画像を撮像する場合は）、ロータリーソレノイド５７の軸が回転されて、スポットミラー５５と共にスプリット棒５６が、光路外に退避される。よって、この場合は、スプリット棒５６の影が被検眼Ｅの眼底に投影されない。赤外光源５１、スリット指標板５２、偏角プリズム５３、投影レンズ５４、スポットミラー５５、及び、スプリット棒５６は、フォーカシングレンズ３４，３５と連動して移動機構５９によって移動される。これによって、スプリット棒５６（即ち、指標像Ｋを形成する指標）を、被検眼Ｅの眼底と共役な位置に配置できる。
【００３１】
赤外光源５１は、本実施形態では、照明光学系１０の光路上にスポットミラー５５が配置されている場合に点灯される。赤外光源５１から出射された光束は、スリット指標板５２に形成されたスリットを通過することによって、スプリット視標像を形成する。そして、スリットを通過した光束は、偏角プリズム５３、および、投影レンズ５４を経て、スポットミラー５５へ導かれる。スポットミラー５５は、照明光学系１０の光路に対して斜めに傾けられている。このため、スポットミラー５５によって赤外光源５１からの光束は反射され、リレーレンズ２２、孔あきミラー２３、および、対物レンズ２４を経て、被検眼Ｅの眼底上に投影される。そして、被検眼Ｅの眼底上に投影されたスプリット指標像は、眼底観察用の撮像素子４２によって、眼底像と共に撮像される。その結果、図３（ａ），（ｂ）に示すように、被検眼Ｅの眼底像と共に、スプリット視標像ＳＰ１，ＳＰ２と、スプリット棒５６の指標像Ｋとが、画像内に写りこむ。なお、図３において、Ｆは、観察絞り４１に囲まれた領域を示す。
【００３２】
ここで、図３を参照して、スプリット視標像ＳＰ１，ＳＰ２の役割について説明する。図３（ａ）に示すように、眼底のフォーカスが合っていないときは、スプリット指標像ＳＰ１，ＳＰ２は分離した状態で眼底に投影される。一方、図３（ｂ）に示すように、フォーカスが合っているときは、スプリット指標像ＳＰ１，ＳＰ２は並んだ状態で投影される。このため、眼底カメラ１では、眼底画像内のスプリット視標像ＳＰ１，ＳＰ２が並ぶようにフォーカスを調節することで、眼底カメラ１のピントを眼底にあわせることができる。なお、本実施形態では、スプリット指標像ＳＰ１，ＳＰ２が並んだ状態で眼底に投影される場合は、被検眼Ｅの眼底と共役な位置にスプリット棒５６が配置されている。
【００３３】
更に、図４を参照して、スプリット棒５６と、照明光学系１０のスプリット棒５６周辺の光学部材との位置関係について説明する。なお、図４において、説明に関係のない構成は図示を省略してある。図４に示すように、本実施形態では、対物レンズ２４に関して被検眼の前眼部と共役な位置に、リレーレンズ２２の焦点が置かれている。これにより、対物レンズ２４、リレーレンズ２２、およびリレーレンズ１９は、バダール（Ｂａｄａｌ）光学系を形成している。その結果、リレーレンズ２２とリレーレンズ１９との間に配置されるスポットミラー５５及びスプリット棒５６が光軸Ｌ２方向に移動しても、指標像Ｋの投影光束は、被検眼Ｅに対して一定の角度で入射する。このため、同一の被検眼における指標像Ｋの大きさα（図３参照）は、スポットミラー５５及びスプリット棒５６の位置に拘わらず、略一定に維持される。なお、図３に示すように、本実施形態において、指標像Ｋの大きさαは、指標像Ｋの先端Ｋｔから、段差部Ｋｂまでの長さである。なお、大きさαは、指標像Ｋの左右方向または斜め方向の長さを用いてもよい。
【００３４】
固視標呈示光学系８０は、眼底観察時に、被検眼Ｅに固視標を呈示するための光学系である。固視標呈示光学系８０は、固視標ユニット８１と、可視光源８４と、リレーレンズ８５と、を有している。また、固視標呈示光学系８０は、跳ね上げミラー３６によって中継されるダイクロイックミラー３９から対物レンズ２４までの光路を、眼底観察・撮像光学系３０と共用する。
【００３５】
固視標ユニット８１は、固視標板８２と、パルスモータ８３と、を有している。固視標板８２には、複数の（本実施形態では８つの）開口が形成されている。本実施形態では、開口を通過する可視光源８４からの光束によって、固視標が形成される。パルスモータ８３によってディスク板８２が回転駆動されることで、光軸Ｌ３上に位置する開口が切り替わる。これによって、光軸Ｌ３に対して異なる位置（本実施形態では８通りの位置）に固視標が呈示される。被検眼Ｅの向きは、呈示される固視標に追従する。その結果、光源１１，１４からの光の照射位置が、眼底上において変更される。このため、固視標の呈示位置を切り替えることで、眼底を観察・撮像する際の撮像範囲（撮像エリア）を変更できる。
【００３６】
次に、眼底カメラ１の制御系について説明する。眼底カメラ１の主な制御は、制御部９０によって行われる。制御部９０は、眼底カメラ１の各部の制御処理と、測定結果の演算処理とを行う電子回路を有する処理装置である。
【００３７】
本実施形態において、制御部９０は、各駆動装置４，５，１５ａ，３２ａ，４３，５７，５９，８３、各光源１１，１４，５１，８４、および、各撮像素子３８，４２と接続される。また、制御部９０は、ジョイスティック７、モニタ８、スイッチ部９４等の各種の入出力装置と接続される。
【００３８】
スイッチ部９４は、蛍光切換スイッチ９４ａを有する。蛍光切替スイッチ９４ａは、眼底の静止画像を、眼底反射光によって撮像するか、蛍光によって撮像するかを、切り替えるための操作装置である。
【００３９】
また、制御部９０は、ＣＰＵ９１、ＲＯＭ９２、および、ＲＡＭ９３を有する。ＣＰＵ９１は、眼底カメラ１に関する各種の処理を実行するための処理装置である。ＲＯＭ９２は、制御プログラムおよび固定データが格納された、不揮発性の記憶装置である。ＲＡＭ９３は、書き換え可能な揮発性の記憶装置である。ＲＡＭ９３には、例えば、眼底カメラ１による被検眼Ｅの撮像および測定に用いる一時データが格納される。
【００４０】
更に、制御部９０は、外付けのフラッシュメモリ９５と、照明ムラ分布データベース９６と、に接続されている。フラッシュメモリ９５は、書き換え可能な不揮発性の記憶装置である。フラッシュメモリ９５には、後述する自発蛍光像撮像処理を制御部９０に実行させるためのプログラムが、少なくとも格納されている。本実施形態において、プログラムには、例えば、指標像Ｋと照射エリアとの大きさの比率が規定されている。よって、照射エリアに対する指標像Ｋの大きさは既知の値である。
【００４１】
照明ムラ分布データベース９６は、予め測定または演算した照明ムラ分布を格納するデータベースである。照明ムラ分布は、撮像照明光学系１０ａからの光によって、眼底に発生する照明ムラを示す。本実施形態の眼底カメラ１では、光源１４ｂの形状によって、また、リングスリット１８および黒点板２１で、光源１４ｂからの光が遮光されることによって、均一な平行光束が眼底に照射され難くなっている。このため、眼底に照射される光が、眼底でムラ（照明ムラ）になり易い。よって、眼底自発蛍光を利用して眼底を撮像する場合には、照射される励起光の光量が眼底上の位置毎に異なる。このため、例えば、眼底画像から蛍光の光量を正確に測定できないおそれがある。また、眼底反射光を利用して眼底を撮像する場合にも、眼底画像は、照明ムラの影響を受ける。しかも、照明ムラは、屈折力および眼軸長等の被検眼の光学的な特性に応じて被検眼毎に異なる分布を示す。このため、従来は、眼底像における照明ムラの影響を適正に取り除くことが難しかった。これに対し、詳細は後述するが、本実施形態では、照明ムラ分布データベース９６に格納された照明ムラ分布を用いて、制御部９０で照明ムラの補正処理が行われる。
【００４２】
本実施形態において、照明ムラ分布データベース９６には、被検眼のディオプター値毎の照明ムラ分布データが予め記憶されている。照明ムラ分布データについては、図６を参照して後述する。なお、制御部９０で照明ムラ分布データベース９６に記憶されている照明ムラ分布を取得できれば、眼底カメラ１と照明ムラ分布データベース９６とは、別体であってもよい。
【００４３】
次に、眼底カメラ１の動作について説明する。眼底カメラ１によって眼底を観察・撮像する場合、モニタ８に写される前眼部観察画像を確認しながら、検者がジョイスティック７を操作して、被検眼の撮像範囲に対して眼底カメラ１の光学系を予めアライメントしておく。なお、前眼部観察画像は、図示しない前眼部観察光学系を用いて撮像しても良いし、公知の技術を用いて眼底観察・撮像光学系３０を用いて撮像しても良い。前眼部でのアライメント完了後、制御部９０は、観察光源１１を点灯させる。また、撮像素子４２に撮像される眼底画像（動画像）を、モニタ８に出力する。さらに、制御部９０は、赤外光源５１を点灯させて、眼底にスプリット視標像ＳＰ１，ＳＰ２を投影する。なお、予め、スプリット棒５６は、照明光学系１０の光路中に挿入されている。よって、スプリット視標像ＳＰ１，ＳＰ２が映りこんだ眼底画像の動画像が撮像される。制御部９０は、スプリット視標像ＳＰ１，ＳＰ２が並んで配置されるように、フォーカシングレンズ３４，３５を駆動する。これにより、眼底に対して自動でフォーカスが行われる。本実施形態では、このとき、スプリット棒５６は、被検眼Ｅの眼底と共役な位置に配置される。フォーカス完了後は、ジョイスティック７等の操作によって、検者が観察位置を調整できる。また、検者は、蛍光切換スイッチ９４ａを操作することで、眼底の自発蛍光像の静止画像を撮像するか、それとも通常の眼底画像の静止画像を撮像するかを選択できる。自発蛍光像の撮像が選択された状態で、撮像スイッチ７ｂが押されたことが制御部９０によって検出されると、制御部９０では、自発蛍光像撮像処理が実行される。
【００４４】
ここで、図５を参照して、自発蛍光像撮像処理について説明する。自発蛍光像撮像処理では、まず、ＣＰＵ９１は、Ｓ１〜Ｓ３の処理を実行して、眼底上で撮像照明光学系１０ｂからの光が照射される範囲に生じる照明ムラの分布を取得する。Ｓ１の処理では、ＣＰＵ９１は、１フレーム分の眼底観察画像の画像データを撮像素子４２から取得して、ＲＡＭ９３に格納する（Ｓ１）。なお、ＲＡＭ９３に格納する画像データには、各画素の２次元座標と階調情報（階調値）とが含まれる。階調値は、０（黒）〜２５５（白）までの２５６段階で示される。なお、階調値は、撮像素子４２からの信号出力に対して線形関係となる。
【００４５】
次に、ＣＰＵ９１は、Ｓ１の処理によって取得した眼底観察画像に含まれる指標像Ｋ（図３参照）の大きさαを取得する（Ｓ２）。本実施形態では、指標像Ｋの先端Ｋｔから段差部Ｋｂまでの間で、上下方向に一列に並んだ画素の数を、指標像Ｋの大きさαとして取得する。
【００４６】
次に、ＣＰＵ９１は、指標像Ｋの大きさαに対応する照明エリアのムラ分布を取得する（Ｓ３）。前述したように、照明ムラ分布データベース９６には、指標像Ｋの大きさ毎の照明ムラ分布データが記憶されている。Ｓ３の処理において、ＣＰＵ９１は、Ｓ２の処理で取得した指標像Ｋによって定まる照明エリアについての照明ムラ分布を取得する。
【００４７】
次に、ＣＰＵ９１は、Ｓ３の処理によって取得されたムラ分布の中で撮像エリアに対応する範囲を抽出する（Ｓ４）。前述したように、照明エリアの大きさと、指標像Ｋの大きさαとの比率は、フラッシュメモリ９５に格納されており、既知である。一方、指標像Ｋの大きさαと、撮像エリアの大きさβとの比率は、Ｓ１の処理で取得した眼底画像から求めることができる。前述したように、本実施形態では、眼底撮像時と、観察時とで、撮像エリアが同一なので、観察時の眼底画像を用いて、撮像時の撮像エリアの大きさを求めることができる。例えば、本実施形態では、領域Ｆの中心を通る直線上（例えば、上下方向に延びた直線上）で一列に並んだ画素の数を、撮像エリアの大きさβとして求めても良い（図３（ａ）参照）。指標像Ｋの大きさαと、撮像エリアの大きさβとの比率が求まれば、指標像Ｋの大きさを基準にして、照明ムラ分布の中で撮像エリアの大きさβに対応する分布の範囲が定まる。従って、ＣＰＵ９１によって、撮像エリアにおけるムラ分布を、照明ムラ分布から抽出できる。なお、図６（ｄ）のヒストグラムで示される明るさの分布は、撮像エリアにおけるムラ分布の一例である。
【００４８】
次に、ＣＰＵ９１は、自発蛍光像を撮像する（Ｓ５）。このとき、ＣＰＵ９１は、観察光源１１を消灯させると共に、跳ね上げミラー３６を眼底観察・撮像光学系３０の光路から退避させる。また、ＣＰＵ９１は、スプリット棒５６を、照明光学系１０の光路上から退避させる。更に、ＣＰＵ９１は、照明光学系１０、および眼底観察・撮像光学系３０の光路に、フィルタ１５、フィルタ３２をそれぞれ挿入する。その後、ＣＰＵ９１は、撮像光源１４を点灯させて、撮像光源１４からフラッシュ光を出射させる。これによって、眼底から蛍光が放出され、撮像素子３８で蛍光が受光される。ＣＰＵ９１は、撮像素子３８の受光結果に基づく自発蛍光像の画像データを取得してＲＡＭ９３に記憶させる。なお、本実施形態では、各画素の階調値（階調データ）は、撮像素子３８からの信号出力の強度と線形関係となる。
【００４９】
次に、ＣＰＵ９１は、ＲＡＭ９３に記憶された自発蛍光像の画像データを用いて、自発蛍光像の階調分布（輝度分布）を作成する（Ｓ６）。Ｓ６の処理では、全画像の階調分布を作成するが、ここでは、図６（ａ）に示すＡＡ´線上の分布を例示して説明する。
【００５０】
図６（ｂ）は、自発蛍光像の画像データから抽出された、ＡＡ´線上に配置された画素と階調値との関係を示すヒストグラムである。図６（ｂ）のヒストグラムでは、階調値が２５６段階で示されている。Ｓ６の処理において、ＣＰＵ９１は、各画素の階調値Ｐを、次の式（１）によって正規化する。
【００５１】
Ｑ＝（Ｐ−ｂ）／（ａ−ｂ）・・・（１）
式（１）において、ａは、例えば、撮像絞り内の眼底画像部分で、最も蛍光の強い箇所（明部）の階調値を示している。一方、ｂは、例えば、眼底画像部分の外側における階調値を示している。ＡＡ´線上に配置された各画素についての正規化された階調値ＱがＣＰＵ９１に算出されることで、図６（ｃ）のヒストグラムで示す階調分布が作成される。
【００５２】
次に、ＣＰＵ９１は、Ｓ４の処理で取得した撮像エリアにおける照明ムラ分布を用いて、Ｓ６の処理で取得した自発蛍光像の階調分布から照明ムラの影響を除去（補正）する（Ｓ７）。例えば、ＡＡ´線上の各画素については、階調分布における各階調値を、照明ムラ分布の各値によって、それぞれ除算する。その結果、図６（ｅ）のヒストグラムに示される階調分布を得ることができる。ＡＡ´線以外の各列の画素についても、同様の処理を行う。これによって、自発蛍光像の階調分布から照明ムラが補正される。なお、照明ムラ分布の値に所定の重み付けを行い、各画素の階調値から減算を行うことで、照明ムラの影響を除去してもよい。
【００５３】
次に、ＣＰＵ９１は、照明ムラの影響が除去された自発蛍光像の画像データを、モニタ８に表示させる（Ｓ９）。具体的には、Ｓ８の処理によって照明ムラの補正された各画素の階調値を、２５６段階の階調値に変換したうえで、モニタ８に出力する。照明ムラの抑制された自発蛍光像を、モニタ８に表示させることができる。Ｓ９の処理の実行後、自発蛍光像撮像処理を終了する。
【００５４】
前述したように、撮像照明光学系１０ｂからの光が眼底に照射されることで、被検眼Ｅの眼底に生じる照明ムラの分布は、眼底における光の照射エリアの大きさに応じた分布となる。これに対し、本実施形態において、ＣＰＵ９１は、照明エリアの大きさに応じた照明ムラ分布を用いて眼底画像における明るさのムラを補正する。その結果、屈折等の被検眼の光学的な特性に拘わらず、眼底に照射される光のムラ（照明ムラ）の影響が抑制された眼底画像を得ることができる。例えば、本実施形態では、あたかも均一な平行光束が撮像照明光学系１０ｂから眼底に照射されたような眼底画像を得ることができる。また、特に、本処理では、眼底における自発蛍光像の照明ムラが補正されるので、補正後の眼底画像から、自発蛍光を定量的に把握しやすくなる。このため、例えば、眼底画像からリポフスチン等の自発蛍光物質の蓄積量等を求める場合に、正確な結果が得られ易くなる。
【００５５】
上記の自発蛍光像撮像処理によれば、眼底の照射エリアに対する大きさが既知の指標像Ｋを利用して照射エリアに応じた照明ムラ分布を取得したが、指標像Ｋを用いずに照明ムラ分布を取得することもできる。例えば、眼底における照明ムラの大きさは、被検眼のディオプター値に対応している。そこで、フォーカシングレンズ３４、３５の位置を検出するセンサを設ける。例えば、スプリット指標像ＳＰ１，ＳＰ２が並んだ状態で観察される場合のフォーカシングレンズ３４，３５の位置は、被検眼Ｅのディオプター値に対応すると考えられる。そこで、センサで検出されたフォーカシングレンズ３４，３５の位置を、制御部９０で処理して、被検眼Ｅのディオプター値を求める。そして、被検眼Ｅのディオプター値に基づいて照明ムラ分布データベース９６から照明ムラ分布を取得しても良い。
【００５６】
一方、本実施形態のように、指標像Ｋを利用して照明ムラ分布を取得するのであれば、ディオプター等の被検眼Ｅのパラメータを、必ずしも得なくても良い。このため、本実施形態の眼底カメラ１によれば、眼底に照射される光のムラの影響が抑制された眼底画像を、容易に得ることができる。
【００５７】
また、上記の自発蛍光像撮像処理によれば、ＣＰＵ９１は、被検眼Ｅの眼底と共役な位置に配置されたスプリット棒５６の指標像Ｋの大きさを用いて、眼底に照射される光のムラ分布を取得する。このように、スプリット棒５６が眼底と共役な位置に配置されていると、指標像Ｋが明確になる。よって、指標像Ｋの大きさを得る場合に、誤差を抑制できる。このため、スプリット棒５６の位置が被検眼Ｅの眼底と共役でない場合と比べて、正確な照射エリアの大きさが、上記Ｓ４の処理で取得され易くなる。従って、より適切に、眼底画像に対して、眼底に照射される光のムラの影響を補正できる。
【００５８】
更に、本実施形態では、スプリット棒５６の位置が光軸Ｌ２方向に移動しても、バダール光学系（リレーレンズ１９，２２、対物レンズ２４）によって、被検眼Ｅに投影される指標像Ｋの大きさαは、略一定に維持される。このため、指標像Ｋの大きさαを用いて眼底における照明ムラの分布を容易に取得できる。
【００５９】
なお、本実施形態では、観察光源１１から出射される赤外光を用いて眼底が観察される場合に、蛍光切換スイッチ９４ｂが操作されることなく、撮像スイッチ７ｂが操作された場合は、可視光の眼底反射光を用いて眼底画像（静止画像）が撮像される。この場合、制御部９０によって、上記の自発蛍光像撮像処理に準じた処理が行われる。但し、眼底反射光を撮像素子３８に受光させて撮像するので、眼底の静止画像を撮像する際に、フィルタ３２を眼底観察・撮像光学系３０の光路に挿入しない。また、撮像光源１４からの光量も、自発蛍光像撮像処理に比べて弱くして撮像を行う。撮像素子３８の受光強度が飽和してしまうことを抑制するためである。かかる場合も、眼底画像の静止画像における照明ムラを抑制できる。
【００６０】
なお、本実施形態における自発蛍光像撮像処理のアルゴリズム（例えば、式（１））を適宜変更できることは言うまでもない。例えば、自発蛍光像の画像データを用いて正規化する処理を省略してもよい。
【００６１】
以上、実施形態に基づき説明したが、本発明は、上記実施形態に限定されずに、様々に変形できることは勿論である。
【００６２】
例えば、上記実施形態では、眼底画像の静止画像についての照明ムラを補正する場合について説明したが、眼底画像の動画像の照明ムラを補正してもよい。
【００６３】
また、上記実施形態では、照明ムラ補正が行われる眼底画像の静止画像とは別に、指標像Ｋが映りこんだ眼底画像（動画像の１フレーム）を別途撮像する場合について説明した。しかし、照明ムラ補正が行われる眼底画像そのものに指標像Ｋを写りこませ、その指標像Ｋを用いて照明範囲の大きさを求め、照明ムラ補正を行っても良い。
【００６４】
また、上記実施形態では、駆動機構５９によって、スプリット棒５６が、眼底共役位置に移動できるものとしたが、スプリット棒５６の位置を、リレーレンズ１９，２２の間で固定しても良い。この場合も、照明範囲に対する指標像Ｋの大きさを一定に維持できる。
【００６５】
また、照明範囲に対する大きさが既知の視標像を形成する視標は、上記実施形態のスプリット棒５６に限られるものではない。例えば、上記実施形態では、スプリット棒５６に代えて、スプリット指標ＳＰ１，ＳＰ２を用いることができる。また、例えば、指標投影光学系５０に代えて、リレーレンズ１９，２２の間に、透明な板に対して環状のエッチングが施されたフォーカスチャートを設けてもよい。この場合は、照明光学系１０からの光がフォーカスチャートを通過することによって、眼底の照明範囲に対する大きさが一定な環状の指標像が投影される。
【００６６】
また、被検眼Ｅの瞳孔径の大きさが、照明光学系１０からの光によって眼底生じる照明ムラに影響する場合がある。そこで、例えば、照明光学系１０から照射された光の眼底での照射範囲と、被検眼Ｅの瞳孔径とに応じて、眼底カメラが、眼底における照明ムラの影響を眼底画像から補正するよう構成することもできる。例えば、照明ムラ分布データベース９６に、被検眼の瞳孔径、および照明光学系１０から照射された光の眼底での照射範囲がそれぞれ異なる照明ムラ分布を記憶させる。また、眼底カメラ１で眼底を撮像する場合に、例えば、眼底カメラ１で予め前眼部観察を行って測定した瞳孔径と、眼底画像に含まれる指標像Ｋの大きさαとを制御部９０に取得させる。そして、制御部９０が、照明ムラ分布データベース９６から、瞳孔径と指標像Ｋの大きさαと対応する照明ムラ分布を取得して、眼底画像から照明ムラの影響を補正しても良い。
【００６７】
また、上記実施形態では、指標像Ｋの大きさαに対する撮像エリアの大きさβを求めることによって、照射エリアにおけるムラ分布から、撮像エリアにおけるムラ分布を取得した。しかし、制御部９０で撮像エリアの大きさβを求めることなく、撮像エリアにおけるムラ分布を取得するようにしても良い。例えば、上記実施形態では、指標像Ｋの大きさによって、撮像エリアの大きさβは一義的に定まる。このため、照明ムラ分布データベース９６に、予め、指標像Ｋの大きさ毎の、撮像エリアにおけるムラ分布を格納する。そして、自発蛍光像撮像処理の実行時に、制御部９０が、指標像Ｋの大きさに対応する撮像エリアのムラ分布を、照明ムラ分布データベース９６から取得するようにしてもよい。
【００６８】
上記実施形態では、眼底画像の照明ムラを補正する際に、被検眼のディオプター値毎の照明ムラ分布が予め記憶された照明ムラ分布データベース９６を用いて、照明ムラ分布を取得する場合について説明した。しかし、他の方法によって、被検眼に発生する照明ムラを取得することができる。例えば、図７に示すように、照明光学系１０の光路を分岐させ、分岐させた光路に配置した撮像素子の受光結果から照明ムラ分布を取得しても良い。この変形例では、照明光学系１０に対して、ハーフミラー１０１と、レンズ１０２と、撮像素子１０３と、を設けた。ハーフミラー１０１は、リレーレンズ２２と黒点版２１との間に配置されている。ハーフミラー１０１によって、照明光学系１０の光路が分岐される。分岐された光路の先（即ち、ハーフミラー１０１の反射側）には、レンズ１０２と、撮像素子１０３とが配置される。よって、ハーフミラー１０１で反射された照明光学系１０の光源１１，１４からの光束は、レンズ１０２によって収束され、撮像素子１０３に受光される。このため、撮像素子１０３の受光結果からは、照明光学系１０の光源１１，１４からの光束の強度分布が得られる。ここで、撮像素子１０３を眼底共役位置に位置させると、撮像素子１０３上では、眼底と同様の分布を照明ムラが発生すると考えられる。そこで、制御部９０は、眼底画像の撮像時に眼底共役位置に配置された撮像素子１０３から得られる照明ムラ分布を用いて、眼底画像の照明ムラを補正する。これにより、照明ムラ分布データベース９６を必ずしも設けなくても、眼底カメラ１において、上記実施形態と同様の照明ムラの補正を行うことができる。なお、撮像素子１０３は、例えば、スプリット棒５６およびフォーカシングレンズ３４，３５と連動して移動させるとよい。
【００６９】
特に、前述したように、照明ムラには、リングスリット１８および黒点板２１が作用する。図７に示す変容例では、照明光学系１０において、撮像素子１０３が配置された光路の分岐位置は、リングスリット１８よりも下流側であるだけでなく、黒点板２１よりも下流側である。このため、撮像素子１０３を眼底共役位置に位置させた場合は、眼底上に発生する照明ムラを、撮像素子１０３上で、より正確に再現できる。従って、制御部９０は、より正確な照明ムラ分布を、撮像素子１０３の受光結果から取得できる。
【００７０】
また、上記実施形態では、照明ムラ分布データベース９６には、ディオプター値の異なる被検眼毎の照明ムラ分布が格納されている。ここで、本発明者は、同じディオプター値であっても、屈折力と眼軸長とのバランスが異なると、眼底における照明ムラの分布が多少異なることを見出した。そこで、照明ムラ分布データベース９６には、それぞれの照明ムラ分布を、ディオプター値または指標像Ｋの大きさだけでなく、眼軸長または屈折力とも対応付ける。そして、眼底画像を撮像する際に、制御部９０が、ディオプター値または指標像Ｋの大きさと、眼軸長および屈折力の少なくとも一方とに対応する照明ムラ分布を照明ムラ分布データベース９６から取得して、眼底画像を補正してもよい。この変容例では、一層正確に照明ムラの影響を抑制できる。
【００７１】
この場合、照明ムラ分布データは、例えば、眼底カメラ１の光学系と、眼底に撮像素子を設けた模型眼とを用いて求めることができる。模型眼の撮像素子の撮像結果（画像情報）に、模型眼の眼底上で発生した照明ムラが反映されるためである。ここでは、眼軸長および角膜曲率半径（屈折力）を変更できる模型眼を用いる。模型眼の眼軸長および角膜曲率半径を切り替えることで、ディオプター値の異なる照明ムラ分布を取得できる。また、ディオプター値毎に、屈折力と眼軸長とのバランスを変えて照明ムラ分布を取得することで、眼軸長および屈折力の少なくとも一方と対応付けされたディオプター値毎の照明ムラ分布を取得できる。
【００７２】
また、図８に示すように、眼底で発生した自発蛍光の光量を示す値が、リファレンス物質を用いて、光源１４からの光量および撮像素子３８のゲイン等に依らない値に正規化されるように、本発明を変容しても良い。本変容例では、照明光学系１０の光路にリファレンス物質１１０を配置する。リファレンス物質１１０は、フィルタ１５を通過した撮像光源１４からの光に基づいて蛍光（参照光）を発生する。リファレンス物質で発生した蛍光は、フィルタ３２を通過し、撮像素子３８で検出される。本変容例では、上記実施形態におけるＳ５の処理によって、眼底の自発蛍光像を撮像する場合に、眼底像と共にリファレンス物質１１０が撮像される。
【００７３】
本変容例では、Ｓ６の処理が実行される場合に、制御部９０が、眼底画像に含まれる眼底部分の階調値Ｐだけでなく、リファレンス物質１１０の階調値ｃを取得する。リファレンス物質１１０の階調値としては、例えば、リファレンス物質１１０の階調値の分布における平均値、中央値等を用いてもよい。制御部９０は、眼底画像に含まれる眼底部分の各画素の階調値Ｐを、リファレンス物質の階調値によって正規化する。このとき、前述の式（１）は、次の式（２）で置き換えられる。
【００７４】
Ｑ＝（Ｐ−ｄ）／（ｃ−ｄ）・・・（２）
式（２）において、ｄは、例えば、眼底部分の外側部分の階調値である。なお、リファレンス物質１１０に、蛍光を発生しない黒色部材を設け、黒色部材の階調値を、ｄとしてもよい。式（２）において、（Ｐ−ｄ）と、（ｃ−ｄ）との比は、一定の光量の励起光に対して眼底で発生する蛍光の光量と、一定の光量の励起光に対してリファレンス物質１１０で発生する蛍光の光量との比率に等しいと考えられる。ここで、一定の光量の励起光に対して眼底で発生する蛍光の光量、および、一定の光量の励起光に対してリファレンス物質１１０で発生する蛍光の光量は、それぞれ、照明光学系１０の光量等の撮像条件に依らない値であると考えられる。従って、正規化された階調値Ｑは、正規化されていない場合と比べて、装置の特性による影響が少ない値となる。制御部９０は、リファレンス物質１１０の階調値を用いて正規化された階調分布から、照明ムラの影響を補正する（Ｓ７）。よって、本変容例では、上記実施形態で得られる自発蛍光分布に対して、更に、装置の特性による誤差を抑制できる。なお、ここでは、自発蛍光撮像を行う場合について説明したが、通常の撮像を行う場合にも、本変容例を適用できる。この場合、リファレンス物質１１０として、可視光を反射する部材を用いることができる。
【００７５】
また、上記実施形態において、制御部９０が、眼底画像の明暗差を視度に応じて補正しても良い。これによって、視度に拘わらず、良好な明るさの眼底画像を得ることができる。
【００７６】
また、上記実施形態においては、眼底カメラ１によって、眼底画像の照明ムラを補正する場合について説明したが、必ずしもこれに限られるものではない。例えば、眼底カメラで撮像された眼底画像を汎用のコンピュータ（例えば、パーソナルコンピュータ）に転送し、そのコンピュータで実行される画像処理によって、眼底画像の照明ムラを補正することもできる。この場合は、例えば、上記実施形態において眼底カメラ１で実行された眼底画像撮像処理のうち、Ｓ２〜Ｓ７の処理を、コンピュータのプロセッサに実行させる画像処理プログラムを、例えば、コンピュータのハードディスク等に用意する。この場合、コンピュータには、例えば、眼底カメラで撮像された眼底画像と、眼底画像が撮像された被検眼に対して投影した、眼底における光の照射範囲に対する大きさが既知の指標の画像と、を予め取得させておく。このようにしても、コンピュータが、上記実施形態の眼底カメラ１と同様に、眼底画像の照明ムラを補正できる。
【符号の説明】
【００７７】
１          眼底カメラ
１０        照明光学系（照射光学系）
１１        撮像光源
１４        観察光源
１９，２２，２４    バダール光学系
３０        眼底観察・撮像光学系（受光光学系）
３８，４２  撮像素子
５６        スプリット棒
５９        調整機構
９０        制御部
９６        照明ムラ分布データベース
１０３      撮像素子
【図１】
2014233325.tif 000003
【図２】
2014233325.tif 000004
【図３】
2014233325.tif 000005
【図４】
2014233325.tif 000006
【図５】
2014233325.tif 000007
【図６】
2014233325.tif 000008
【図７】
2014233325.tif 000009
【図８】
2014233325.tif 000010